(57)【要約】【課題】  体温を効果的に上げ、寒気から人体を保護することのできる、作業性・密着性・コスト面で優れた背負い式保温具を提供する。【解決手段】  ベルトで体に密着させた背負い式保温具本体は、体を動かしてもずれることがなく、また、背中を直接温めることにより、体温を効率よく上げることができる。さらに、常温でも遠赤外線を強く放射する天然工鉱石をパウダー化し樹脂に練りこんで、ポリエチレン発泡シートや不織布シートに形成したフレスコシート等で製作した温熱材を使用することで、交換を必要とせず長時間の使用が可能である。この背負い式保温具は、温熱材を含む。また、人体の少なくとも一部に沿うよう形成された袋状の本体を含む。温熱材を出し入れ自在に収納するため、出し入れ口にチャック及び面ファスナー等を取付けている。【選択図】図１
0003138136.tif 000002
【実用新案登録請求の範囲】
【請求項１】
人体の少なくとも一部に沿うよう形成された袋状の本体、常温でも遠赤外線を強く放射する天然工鉱石をパウダー化し樹脂に練りこんで、ポリエチレン発泡シートや不織布シートに形成したフレスコシート等で製作した温熱材と前記温熱材を出し入れ自在に収納するためのチャック及び面ファスナーを含む、温熱材入り袋状本体にベルトを付け、当該ベルトを肩・背中にかけることにより本体を背中に装着することを特徴とする背負い式保温具。
【請求項２】
請求項１において、温熱材入り本体は、縦１００〜２００ｍｍで、横２００〜４００ｍｍの台形、正方形、長方形の袋状、または円形状であって、表面の生地にはチャックかあるいは面ファスナーを取りつけた繊維であることを特徴とする背負い式保温具。
【請求項３】
請求項１において、前記袋状本体に前記チャック及び面ファスナーが背中部に形成され、その内側に収納されている温熱資材は、袋状本体から出し入れ自在にできることを特徴とする背負い式保温具。
【請求項４】
請求項１において、ベルトは幅１０〜４０ｍｍのベルトであって、長さの調節が被保冷者の身長にあわせてできるような調節具を付けていることを特徴とする背負い式保冷具。
【請求項５】
前記の温熱材は、常温でも遠赤外線を強く放射する天然工鉱石をパウダー化し樹脂に練りこんで、ポリエチレン発泡シートや不織布シートに形成したフレスコシート等で製作した温熱材であることを特徴とする、請求項１に記載の背負い式保温具。
【考案の詳細な説明】
【技術分野】
【０００１】
本考案は、寒さ対策用の背負い式保温具に関し、特にたとえば、低温下での業務、および活動者、あるいは子供を寒気から保護するための保温具に関する。業務用保温用品に関するものである。
【背景技術】
【０００２】
体をあたためるには、足、肩、腰などを温める用品を使用していた。例えば、カイロ収納ポケットつきひざかけは、腹部から太もも内側の冷えを解消することを目的としているため、本考案とは使用目的が異なる。（特許文献１参照）また、上半身保温具は、上半身の肩部から胸部及び背部を被って着用する保温具のため、衣服の下に着用しづらく、また、動きにくいなど、作業性に問題がある。さらにまた、身体保温具はサポーターの形状のため、運動時にずれが生じ、所定の位置に固定できない恐れがある。（特許文献２，３参照）
【特許文献１】特開２００５−１７１４６８号
【特許文献２】実開７−１７２１８号
【特許文献３】登録実用新案第３０３２５７５号
【考案の開示】
【考案が解決しようとする課題】
【０００３】
体を温める方法として体温を上げるためには、従来の方法では、作業性に欠ける場合・本体を体に密着させきれない場合・コスト面に問題がある場合・持続時間に制限がある場合がある。それゆえに、考案の主たる目的は、寒気から人体を保護することのできる、作業性・密着性・コスト面・持続時間の面で優れた背負い式保温具を提供することである。
【課題を解決するための手段】
【０００４】
人体の少なくとも一部に沿うよう形成された袋状の本体、常温でも遠赤外線を強く放射する天然工鉱石をパウダー化し樹脂に練りこんで、ポリエチレン発泡シートや不織布シートに形成したフレスコシート等で製作した温熱材と前記温熱材を出し入れ自在に収納するためのポケットを含む、保温用温熱材入り袋状の本体にベルトを付け、当該ベルトを背中・肩にかけることにより本体を背中上部に装着する背負い式保温具である。
温熱材入り袋状の本体は、縦１００〜２００ｍｍで、横２００〜４００ｍｍの台形、正方形、長方形の袋状、または円形状であって、表面の生地にはチャックあるいは面ファスナーを取りつけた繊維である。
前記本体は袋状に形成され、その内側に温熱材を本体から出し入れ自在に収納する。
温熱材には常温でも遠赤外線を強く放射する天然工鉱石をパウダー化し樹脂に練りこんで、ポリエチレン発泡シートや不織布シートに形成したフレスコシート等で製作したものを使用する背負い式保温具である。
ベルトは幅２０〜３０ｍｍのベルトであって、長さの調節が被保冷者の身長にあわせてできるような調節具を付けている。
本考案は、人体の少なくとも一部に沿うよう形成された袋状の本体と、保温効果を発揮する温熱材、温熱材を出し入れ自在に収納するための出し入れ口にチャック及び面ファスナー等で構成された、背負い式保温具である。
本考案において、ポケットおよび袋は、袋の出し入れ方向の長さが、袋の出し入れ方向に直交する方向の長さよりも短く形成されることが好ましい。
この場合には、温熱材の出し入れがしやすく、操作性のよい保温具を提供することができる。すなわち、袋の出し入れ方向の長さが、出し入れ方向に直行する方向の長さよりも長いと、袋の一端をポケットに入れた後、ポケットを袋の他端部方向へ手繰り寄せたり、袋をポケットに押し込んだりする操作を何度も繰り返さなければ、ポケット内に袋を完全に収納する時間がどうしても長くなってしまうという不都合がある。
【０００５】
本考案において、本体が袋状に形成され、その内側に温熱材が出し入れ自在に収納されることが好ましい。この場合には上背、中背、など、被保冷者の体の各部に適宜対応させて温熱材入り袋を配置することも可能である。
【０００６】
また、本考案において、袋状の本体は、かかる係止手段としては、たとえば、チャック、面ファスナーを用いることができる。
【０００７】
また、本考案において、袋状の本体は、作業性・装着性をよくするため薄い生地で形成されることが好ましい。
【０００８】
また、本考案において、温熱材は、長時間使用ができ、低温火傷など人体に支障をきたさないものが持続性・安全性などの観点から実用上、好ましい。
【０００９】
さらに、本考案において、温熱材は、市販されているカイロを使用することができる。
【考案の効果】
【００１０】
本体をベルトで体に密着させるため、本体は簡単に着脱出来る。本体に収容した温熱材部分だけ交換することも出来、また、繰り返し使用することも可能である。本体と温熱材は、チャック、あるいは面ファスナーを用いた出し入れ口より出し入れ自在であり、温熱材入り本体をベルトによって体に固定することができる。
上述のように、本考案によれば、冬季に、被保温者を寒気から保護することができる保温具を提供することができる。この保温具は構造がシンプルなので低コストであり、好適である。
【考案を実施するための最良の形態】
【００１１】
この図１・３で示す背負い式保温具は、袋状に形成された本体に、ベルト２を取り付け、調整具３を用いベルトの長さを装着者の体型に合わせ、図２で示す様に背中上部に固定する。本体の表面Ａの生地にはメッシュ地１を使用し、温熱材を出し入れするための開口部には、チャック４を取付ける。
図４に示す温熱材には、常温でも遠赤外線を強く放射する天然工鉱石をパウダー化し樹脂に練りこんで、ポリエチレン発泡シートや不織布シートに形成したフレスコシート等で製作した温熱材を使用する。前記の温熱材は、遠赤効果で人体の細胞を活性化し、血流をよくするので体温が1℃ほど上昇させることができる。また、遠赤の効果は半永久的なので、温熱材を交換する必要も無い。
この背負い式保温具１０の使用方法について説明する。まず、温熱材を図１・３で示す袋状の本体に収納し、チャック４を閉め、図２で示すよう背中上部に装着し、装着者の体型に合うように調整具３を使い、ベルト２の長さを調節して固定する。温熱材にフレスコシートを使用すれば、効果は半永久的なので、長時間の使用にも対応できる。
【実施例１】
【００１２】
装着方法は図２の通り。図１、および３で示す背負い式保温具は、タテ１３０ｍｍヨコ２４０ｍｍ厚さ１０ｍｍ（温熱材収納時）の袋状の長方形に形成し、図３Ａで示すように表面の生地にメッシュ地を用い、温熱材の着脱口にチャックを取付けた。また、図３Ａ・Ｂで示すようにベルト部分には幅２０ｍｍのゴム帯を本体の両端２箇所に上から下に輪になるようにした。また、装着者の体型に合わせゴム帯の長さを調節できるよう調節具を取付けるようにして、薄くしかも身体に密着でき、作業着等の着衣の下に装着しても目立たず、作業性の悪化も無く、また、いかなる運動にも対応できるにもかかわらず、それらの運動で所定の位置よりずれてしまうこともない。温熱材は常温でも遠赤外線を強く放射する天然工鉱石をパウダー化し樹脂に練りこんで、ポリエチレン発泡シートや不織布シートに形成したフレスコシート等で製作した温熱材を使用した。この背負い式保温具を使用したところ１０分程度で温まる効果を実感でき、また長時間使用可能であって、重量感、あるいは装着の違和感を示さなかった。
【実施例２】
【００１３】
実施例１と同様な背負い式保温具の袋状の本体内部に温熱材を収納した。保温具の袋状本体の人体と触れ合わない面における図３Ａの上部より４０ｍｍ下に２４０ｍｍほどの開口部を設け、開閉ができるようチャックを取付けた。
【図面の簡単な説明】
【００１４】
【図１】Ａ  背負い式保温具  表面の概略図          Ｂ  背負い式保温具  裏面の概略図
【図２】背負い式保温具の使用姿図
【図３】Ａ  背負い式保温具  表面の詳細図          Ｂ  背負い式保温具  裏面の詳細図
【図４】保温資材の図
【符号の説明】
【００１５】
１．メッシュ地
２．ベルト
３．調節具
４．チャック
５．不織布製外袋
６．ポリエチレン発泡シート
【図１】
0003138136.tif 000003
【図２】
0003138136.tif 000004
【図３】
0003138136.tif 000005
【図４】
0003138136.tif 000006